(57)【要約】【課題】従来の情報配信システムでは、ユーザが購入したチケット情報に基づいて、ユーザに提供する電子的な情報を変えることができなかった。【解決手段】携帯端末と当該携帯端末に接続する近距離無線通信装置を具備する通信装置であって、携帯端末は、近距離無線通信装置から受け付けた情報を出力し、近距離無線通信装置は、チケット情報を格納している情報格納部と、近距離無線通信手段により情報を受信する情報受信部と、情報受信部が受信した情報を、チケット情報に基づいて出力するか否かを判断する判断部と、判断部が出力すると判断した情報を携帯端末に渡す情報送付部を具備する通信装置であり、かかる構成により、美術館などの観光スポットの運営側にとって価値の高いチケットを販売することの促進になり、また、ユーザも貴重な情報を得るために正当に入場料を支払う。【選択図】図２
2005242514.tif 000002
【特許請求の範囲】
【請求項１】
携帯端末と当該携帯端末に接続する近距離無線通信装置を具備する通信装置であって、
前記携帯端末は、
前記近距離無線通信装置から情報を受け付ける情報受付部と、
前記情報を出力する情報出力部を具備し、
前記近距離無線通信装置は、
チケットに関する情報であるチケット情報を格納している情報格納部と、
近距離無線通信手段により情報を受信する情報受信部と、
前記情報受信部が受信した情報を、前記チケット情報に基づいて出力するか否かを判断する判断部と、
前記判断部が出力すると判断した情報を前記携帯端末に渡す情報送付部を具備する通信装置。
【請求項２】
前記情報格納部は、チケット情報と、ユーザに関する情報であるユーザ情報または／および現在の位置に関する情報である位置情報または／および現在時刻に関する情報である時刻情報を格納しており、
前記判断部は、前記情報受信部が受信した情報を、チケット情報と、ユーザ情報または／および位置情報または／および時刻情報に基づいて出力するか否かを判断する請求項１記載の通信装置。
【請求項３】
前記近距離無線通信装置は、
チケット情報を受信するチケット情報受信部と、
前記チケット情報を前記情報格納部に蓄積するチケット情報蓄積部をさらに具備する請求項１または請求項２いずれか記載の通信装置。
【請求項４】
携帯端末と当該携帯端末に接続する近距離無線通信装置を具備する通信装置であって、
前記携帯端末は、
チケットに関する情報であるチケット情報を格納している情報保持部と、
前記近距離無線通信装置から情報を受け付ける情報受付部と、
前記情報を出力する情報出力部を具備し、
前記近距離無線通信装置は、
前記携帯端末からチケット情報を取得する情報取得部と、
近距離無線通信手段により情報を受信する情報受信部と、
前記情報受信部が受信した情報を、前記チケット情報に基づいて出力するか否かを判断する判断部と、
前記判断部が出力すると判断した情報を前記携帯端末に渡す情報送付部を具備する通信装置。
【請求項５】
前記近距離無線通信装置は、
ユーザ情報または／および位置情報または／および時刻情報を格納している情報格納部をさらに具備し、
前記情報取得部は、前記携帯端末からチケット情報を取得し、かつ、前記情報格納部からユーザ情報または／および位置情報または／および時刻情報を取得し、
前記判断部は、前記情報受信部が受信した情報を、前記チケット情報と、ユーザ情報または／および位置情報または／および時刻情報に基づいて出力するか否かを判断する請求項４記載の通信装置。
【請求項６】
前記携帯端末は、
チケット情報を受信するチケット情報受信部と、
前記チケット情報を前記情報保持部に蓄積するチケット情報蓄積部をさらに具備する請求項４または請求項５いずれか記載の通信装置。
【請求項７】
携帯端末と当該携帯端末に接続する近距離無線通信装置を具備する通信装置であって、
前記携帯端末は、
前記近距離無線通信装置から情報を受け付ける情報受付部と、
前記情報を出力する情報出力部を具備し、
前記近距離無線通信装置は、
チケット情報を格納している情報格納部と、
前記チケット情報を近距離無線通信手段により送信する情報送信部と、
前記情報送信部が送信したチケット情報に基づいて選択された情報を受信する情報受信部と、
前記情報受信部が受信した情報を前記携帯端末に渡す情報送付部を具備する通信装置。
【請求項８】
前記情報格納部は、チケット情報と、ユーザ情報または／および位置情報または／および時刻情報を格納しており、
前記情報送信部は、前記情報格納部が格納しているチケット情報と、ユーザ情報または／および位置情報または／および時刻情報を近距離無線通信手段により送信し、
前記情報受信部は、前記情報送信部が送信したチケット情報と、ユーザ情報または／および位置情報または／および時刻情報に基づいて選択された情報を受信する請求項７記載の通信装置。
【請求項９】
前記近距離無線通信装置は、
チケット情報を受信するチケット情報受信部と、
前記チケット情報を前記情報格納部に蓄積するチケット情報蓄積部をさらに具備する請求項７または請求項８いずれか記載の通信装置。
【請求項１０】
携帯端末と当該携帯端末に接続する近距離無線通信装置を具備する通信装置であって、
前記携帯端末は、
チケットに関する情報であるチケット情報を格納している情報格納部と、
前記近距離無線通信装置から情報を受け付ける情報受付部と、
前記情報を出力する情報出力部を具備し、
前記近距離無線通信装置は、
前記携帯端末からチケット情報を取得する情報取得部と、
前記情報取得部が取得したチケット情報を近距離無線通信手段により送信する情報送信部と、
前記情報送信部が送信したチケット情報に基づいて選択された情報を受信する情報受信部と、
前記情報受信部が受信した情報を前記携帯端末に渡す情報送付部を具備する通信装置。
【請求項１１】
前記情報格納部は、チケット情報と、ユーザ情報または／および位置情報または／および時刻情報を格納しており、
前記情報取得部は、前記携帯端末からチケット情報と、ユーザ情報または／および位置情報または／および時刻情報を取得し、
前記情報送信部は、前記情報取得部が取得したチケット情報と、ユーザ情報または／および位置情報または／および時刻情報を近距離無線通信手段により送信し、
前記情報受信は、前記情報送信部が送信したチケット情報と、ユーザ情報または／および位置情報または／および時刻情報に基づいて選択された情報を受信する請求項１０記載の通信装置。
【請求項１２】
前記携帯端末は、
チケット情報を受信するチケット情報受信部と、
前記チケット情報を前記情報格納部に蓄積するチケット情報蓄積部をさらに具備する請求項１０または請求項１１いずれか記載の通信装置。
【請求項１３】
請求項１から請求項１２いずれか記載の通信装置を構成する近距離無線通信装置。
【請求項１４】
請求項１から請求項１２いずれか記載の通信装置を構成する携帯端末。
【請求項１５】
近距離無線通信手段を具備する通信装置であって、
チケットに関する情報であるチケット情報を格納している情報格納部と、
近距離無線通信手段により情報を受信する情報受信部と、
前記情報受信部が受信した情報を、前記チケット情報に基づいて出力するか否かを判断する判断部と、
前記判断部が出力すると判断した情報を出力する情報出力部を具備する通信装置。
【請求項１６】
前記情報格納部は、チケット情報と、ユーザ情報または／および位置情報または／および時刻情報を格納しており、
前記判断部は、前記情報受信部が受信した情報を、チケット情報と、ユーザ情報または／および位置情報または／および時刻情報に基づいて出力するか否かを判断する請求項１５記載の通信装置。
【請求項１７】
チケット情報を受信するチケット情報受信部と、
前記チケット情報を前記情報格納部に蓄積するチケット情報蓄積部をさらに具備する請求項１５または請求項１６いずれか記載の通信装置。
【請求項１８】
コンピュータに、
近距離無線通信手段により情報を受信する情報受信ステップと、
前記情報受信ステップで受信した情報を、格納しているチケット情報に基づいて出力するか否かを判断する判断ステップと、
前記判断ステップで出力すると判断した情報を携帯端末に渡す情報送付ステップを実行させるためのプログラム。
【請求項１９】
コンピュータに、
近距離無線通信手段により情報を受信する情報受信ステップと、
前記情報受信ステップで受信した情報を、格納しているチケット情報と、ユーザ情報または／および位置情報または／および時刻情報に基づいて出力するか否かを判断する判断ステップと、
前記判断ステップで出力すると判断した情報を携帯端末に渡す情報送付ステップを実行させるためのプログラム。
【請求項２０】
コンピュータに、
近距離無線通信手段により情報を受信する情報受信ステップと、
前記情報受信ステップで受信した情報を、格納しているチケット情報に基づいて出力するか否かを判断する判断ステップと、
前記判断ステップで出力すると判断した情報を出力する情報出力ステップを実行させるためのプログラム。
【請求項２１】
コンピュータに、
近距離無線通信手段により情報を受信する情報受信ステップと、
前記情報受信ステップで受信した情報を、格納しているチケット情報と、ユーザ情報または／および位置情報または／および時刻情報に基づいて出力するか否かを判断する判断ステップと、
前記判断ステップで出力すると判断した情報を出力する情報出力ステップを実行させるためのプログラム。
【請求項２２】
情報を受信する情報受信ステップと、
前記情報受信ステップで受信した情報を、格納しているチケット情報に基づいて出力するか否かを判断する判断ステップと、
前記判断ステップで出力すると判断した情報を出力する情報出力ステップを具備する情報出力方法。
【請求項２３】
情報を受信する情報受信ステップと、
前記情報受信ステップで受信した情報を、格納しているチケット情報と、ユーザ情報または／および位置情報または／および時刻情報に基づいて出力するか否かを判断する判断ステップと、
前記判断ステップで出力すると判断した情報を出力する情報出力ステップを具備する情報出力方法。
【発明の詳細な説明】
【技術分野】
【０００１】
本発明は、情報を受信して出力する通信装置等に関するものであり、特に、チケット情報に基づいて情報を選択して出力する通信装置等に関するものである。
【背景技術】
【０００２】
情報配信システムは、店舗毎に設置された情報発信機と、店舗の近傍において情報発信機が配信する情報を受信する携帯端末とからなり、情報発信機と携帯端末との間で小電力近距離双方向無線通信により情報コンテンツの配信を行う情報配信システムにおいて、情報コンテンツの配信に先立って、情報発信機は識別信号を発信し、受信した識別信号が予め携帯端末に登録した識別信号と一致したときのみ、情報発信機から配信される情報コンテンツを携帯端末が受信できる情報配信システムである。かかる情報配信システムは、特別な操作なしに必要な情報のみの配信を行うことができる（特許文献１参照）。
また、イベントなどのチケットの場合、実際にはチケットの種類によって、閲覧できるイベントの種類が異なったり、イベントを見る場所が異なったりする。
【特許文献１】特開２００２−８４５７０号公報（第１頁、第１図等）
【発明の開示】
【発明が解決しようとする課題】
【０００３】
しかしながら、従来の情報配信システムでは、チケット情報をユーザの携帯端末に保持することができないため、ユーザが購入したチケット情報に基づいて、ユーザに提供する電子的な情報を変えることができなかった。例えば、寺院などの観光スポットにおいて、入場の際に、購入したチケットのレベル（レベルによって入場の価格が異なる）によって、受信する情報が異なることはなかった。
したがって、観光スポットの運営側にとって高価なチケットを販売することの促進にはならず、また、ユーザも貴重な情報を得るために高価な入場料を支払うことに躊躇することがあった。
【課題を解決するための手段】
【０００４】
本第一の発明の通信装置は、携帯端末と当該携帯端末に接続する近距離無線通信装置を具備する通信装置であって、前記携帯端末は、前記近距離無線通信装置から情報を受け付ける情報受付部と、前記情報を出力する情報出力部を具備し、前記近距離無線通信装置は、チケットに関する情報であるチケット情報を格納している情報格納部と、近距離無線通信手段により情報を受信する情報受信部と、前記情報受信部が受信した情報を、前記チケット情報に基づいて出力するか否かを判断する判断部と、前記判断部が出力すると判断した情報を前記携帯端末に渡す情報送付部を具備する通信装置である。
【０００５】
かかる構成により、美術館などの観光スポットの運営側にとって価値の高いチケットを販売することの促進になり、また、ユーザも貴重な情報を得るために高価な入場料を正当に支払うことに積極的になる。さらに、現在、普及している携帯電話（上述の携帯端末に該当する。）に近距離無線通信装置を接続するだけで、上述したサービスを提供できる。つまり、普及している携帯電話を携帯端末として利用する場合に、改良を加える必要がない。
【０００６】
本第二の発明の通信装置は、上記の通信装置に対して、前記情報格納部は、チケット情報と、ユーザに関する情報であるユーザ情報または／および現在の位置に関する情報である位置情報または／および現在時刻に関する情報である時刻情報を格納しており、前記判断部は、前記情報受信部が受信した情報を、チケット情報と、ユーザ情報または／および位置情報または／および時刻情報に基づいて出力するか否かを判断する請求項１記載の通信装置である。
かかる構成により、よりユーザに合致した情報、またはユーザの居る位置に合致した情報、または現在時刻に合致した情報が出力され、好適である。
【発明の効果】
【０００７】
本発明は、格納されているチケット情報に基づいて、情報を選択して出力する通信装置であり、かかる通信装置により観光スポットの運営側にとって価値の高いチケットを販売することの促進になり、また、ユーザも貴重な情報を得るために入場料を正当に支払う。
【発明を実施するための最良の形態】
【０００８】
以下、通信装置等の実施形態について図面を参照して説明する。なお、実施の形態において同じ符号を付した構成要素は同様の動作を行うので、再度の説明を省略する場合がある。
（実施の形態１）
【０００９】
図１は、本実施の形態における通信システムの概念図である。本通信システムは、チケット情報送信装置１１、通信装置１２、近距離情報送信装置１３を具備する。通信装置１２は、携帯端末１２１、近距離無線通信装置１２２を具備する。近距離無線通信装置１２２は、携帯端末１２１に接続される。つまり、近距離無線通信装置１２２は、携帯端末１２１に対して着脱可能である。近距離無線通信装置１２２が携帯端末１２１に接続される態様は、例えば、コネクタにより接続されたり、ケーブルにより接続されたりする。近距離無線通信装置が携帯端末１２１に接続される態様は、問わない。
【００１０】
図１において、ユーザは、自分の所有する携帯端末１２１を持って、例えば、美術館に来ている。美術館に入場する前に、ユーザは入口前でチケットを購入する。その際、ユーザは、例えば、美術館の運営業者から近距離無線通信装置１２２を貸与される。そして、ユーザは、近距離無線通信装置１２２を携帯端末１２１のコネクタに接続する（図１参照）。次に、ユーザは、チケット購入のための金額を支払う。次に、チケット情報送信装置１１は、ユーザが支払った金額に応じたチケット情報を近距離無線通信装置１２２に送信する。近距離無線通信装置１２２は、チケット情報を受信し、蓄積する。そして、ユーザは、美術館の中に入り、展示している絵画の前に行く。絵画の前に設置された近距離情報送信装置１３から、常時、種々の情報が送信されている。近距離無線通信装置１２２は、近距離情報送信装置１３から情報を受信し、チケット情報に基づいて、出力する情報を選択する。そして、携帯端末１２１は、選択された情報を出力する。
【００１１】
図２は、本実施の形態における通信システムのブロック図である。通信システムは、チケット情報送信装置１１、通信装置１２、近距離情報送信装置１３を具備し、通信装置１２は、携帯端末１２１、近距離無線通信装置１２２を具備する。
チケット情報送信装置１１は、チケット情報格納部１１０１、購入情報受付部１１０２、チケット情報選択部１１０３、チケット情報送信部１１０４を具備する。
近距離情報送信装置１３は、提供情報格納部１３０１、提供情報取得部１３０２、提供情報送信部１３０３を具備する。
携帯端末１２１は、情報受付部１２１０１、情報出力部１２１０２を具備する。
近距離無線通信装置１２２は、情報格納部１２２０１、チケット情報受信部１２２０２、チケット情報蓄積部１２２０３、情報受信部１２２０４、判断部１２２０５、情報送付部１２２０６を具備する。
【００１２】
チケット情報格納部１１０１は、チケットに関する情報であるチケット情報を２以上格納している。チケット情報とは、例えば、美術館や博物館や寺院や遊園地などの入場に必要なチケットについての情報である。チケット情報のデータ構造や形式は問わない。チケット情報は、チケットを識別するための情報であるチケット識別情報を有する。チケット識別情報は、チケットの種別やランクを識別したり、チケットを一意に識別したりする情報である。チケット情報は、例えば、二次元バーコードなどである。チケット情報格納部１１０１は、不揮発性の記録媒体が好適であるが、揮発性の記録媒体でも実現可能である。
【００１３】
購入情報受付部１１０２は、購入するチケットを示す情報である購入情報を受け付ける。購入情報の入力手段は、ボタンやマウスやメニュー画面によるもの等、何でも良い。購入情報受付部１１０２は、例えば、ボタンとボタンの押下を認識するソフトウェアから実現される。
【００１４】
チケット情報選択部１１０３は、購入情報受付部１１０２が受け付けた購入情報に基づいて、チケット情報格納部１１０１からチケット情報を選択する。チケット情報選択部１１０３は、通常、ＭＰＵやメモリ等から実現され得る。チケット情報選択部１１０３が情報を選択するための処理手順は、通常、ソフトウェアで実現され、当該ソフトウェアはＲＯＭ等の記録媒体に記録されている。但し、ハードウェア（専用回路）で実現しても良い。
【００１５】
チケット情報送信部１１０４は、チケット情報選択部１１０３が選択したチケット情報を送信する。ここでは、チケット情報送信部１１０４は、チケット情報を近距離無線通信装置１２２に送信する。チケット情報送信部１１０４は、ブルートゥース（登録商標）などの近距離無線通信手段や無線タグなどで実現され得る。
【００１６】
提供情報格納部１３０１は、近距離無線通信装置１２２に対して送信する情報を２以上格納している。情報は、例えば、美術館に展示している絵画の解説情報や絵画の電子データなどである。情報のデータ構造や形式は問わない。提供情報格納部１３０１は、不揮発性の記録媒体が好適であるが、揮発性の記録媒体でも実現可能である。
【００１７】
提供情報取得部１３０２は、提供情報格納部１３０１に格納されている情報を取得する。提供情報取得部１３０２は、通常、順次情報を取得する。ただし、提供情報取得部１３０２が情報を取得する順序、アルゴリズムは問わない。提供情報取得部１３０２は、通常、ＭＰＵやメモリ等から実現され得る。提供情報取得部１３０２の処理手順は、通常、ソフトウェアで実現され、当該ソフトウェアはＲＯＭ等の記録媒体に記録されている。但し、ハードウェア（専用回路）で実現しても良い。
提供情報送信部１３０３は、提供情報取得部１３０２が取得した情報を送信する。提供情報送信部１３０３は、ブルートゥースなどの近距離無線通信手段や無線タグなどで実現され得る。
情報受付部１２１０１は、近距離無線通信装置１２２から情報を受け付ける。情報受付部１２１０１は、例えば、バスを経由して情報を受け付ける。
【００１８】
情報出力部１２１０２は、情報受付部１２１０１が受け付けた情報を出力する。出力とは、通常、ディスプレイへの表示であるが、音出力、記録媒体への蓄積、プリンタへの印字、外部の装置への送信等を含む概念である。情報出力部１２１０２は、ディスプレイやスピーカー等の出力デバイスを含むと考えても含まないと考えても良い。情報出力部１２１０２は、出力デバイスのドライバーソフトまたは、出力デバイスのドライバーソフトと出力デバイス等で実現され得る。
情報格納部１２２０１は、チケット情報を格納している。情報格納部１２２０１は、不揮発性の記録媒体が好適であるが、揮発性の記録媒体でも実現可能である。
チケット情報受信部１２２０２は、チケット情報送信装置１１からチケット情報を受信する。チケット情報受信部１２２０２は、ブルートゥースなどの近距離無線通信手段で実現され得る。
【００１９】
チケット情報蓄積部１２２０３は、チケット情報受信部１２２０２が受信したチケット情報を情報格納部１２２０１に蓄積する。チケット情報蓄積部１２２０３は、通常、ＭＰＵやメモリ等から実現され得る。チケット情報蓄積部１２２０３の処理手順は、通常、ソフトウェアで実現され、当該ソフトウェアはＲＯＭ等の記録媒体に記録されている。但し、ハードウェア（専用回路）で実現しても良い。バスを経由して情報を
情報受信部１２２０４は、近距離情報送信装置１３から情報を受信する。情報受信部１２２０４は、ブルートゥースなどの近距離無線通信手段で実現され得る。
【００２０】
判断部１２２０５は、情報受信部１２２０４が受信した情報を、情報格納部１２２０１のチケット情報に基づいて出力するか否かを判断する。例えば、チケット情報に、チケット識別情報が含まれる。そして、情報にも、チケット識別情報が含まれる。判断部１２２０５は、受信した情報のチケット識別情報が、格納しているチケット情報のチケット識別情報と所定の関係（一致など）にある場合に、当該情報を出力する、と判断する。判断部１２２０５は、通常、ＭＰＵやメモリ等から実現され得る。判断部１２２０５の処理手順は、通常、ソフトウェアで実現され、当該ソフトウェアはＲＯＭ等の記録媒体に記録されている。但し、ハードウェア（専用回路）で実現しても良い。
【００２１】
情報送付部１２２０６は、判断部１２２０５が出力すると判断した情報を携帯端末１２１に渡す。情報送付部１２２０６は、例えば、接続されている携帯端末１２１に、渡す。情報送付部１２２０６は、通常、ＭＰＵやメモリ等から実現され得る。情報送付部１２２０６の処理手順は、通常、ソフトウェアで実現され、当該ソフトウェアはＲＯＭ等の記録媒体に記録されている。但し、ハードウェア（専用回路）で実現しても良い。
以下、本通信システムの動作について説明する。まず、チケット情報送信装置１１の動作について図３のフローチャートを用いて説明する。
（ステップＳ３０１）購入情報受付部１１０２は、購入情報を受け付けたか否かを判断する。購入情報を受け付ければステップＳ３０２に行き、購入情報を受け付けなければステップＳ３０１に戻る。
（ステップＳ３０２）チケット情報選択部１１０３は、ステップＳ３０１で受け付けた購入情報に基づいて、チケット情報格納部１１０１からチケット情報を選択して取得する。
（ステップＳ３０３）チケット情報送信部１１０４は、ステップＳ３０２で取得したチケット情報を送信する。ステップＳ３０１に戻る。
なお、図３のフローチャートにおいて、電源オフや処理終了の割り込みにより処理は終了する。
次に、近距離情報送信装置１３の動作について図４のフローチャートを用いて説明する。
（ステップＳ４０１）カウンタｉに１を代入する。
（ステップＳ４０２）提供情報取得部１３０２は、提供情報格納部１３０１からｉ番目の情報を取得する。
（ステップＳ４０３）提供情報送信部１３０３は、ステップＳ４０２で取得したｉ番目の情報を送信する。
（ステップＳ４０４）ｉを１、インクリメントする。
（ステップＳ４０５）ｉ番目の情報が存在するか否かを判断する。ｉ番目の情報が存在すればステップＳ４０２に戻り、ｉ番目の情報が存在しなければステップＳ４０１に戻る。
なお、図４のフローチャートにおいて、電源オフや処理終了の割り込みにより処理は終了する。
【００２２】
次に、携帯端末１２１の動作について説明する。携帯端末１２１の情報受付部１２１０１が情報を受け付けると、情報出力部１２１０２が当該情報を出力する。情報出力部１２１０２は、情報を液晶ディスプレイ等に表示しても良いし、音声出力等しても良い。
次に、近距離無線通信装置１２２の動作について図５のフローチャートを用いて説明する。
（ステップＳ５０１）チケット情報受信部１２２０２は、チケット情報を受信したか否かを判断する。チケット情報を受信すればステップＳ５０２に行き、チケット情報を受信しなければステップＳ５０３に飛ぶ。
（ステップＳ５０２）チケット情報蓄積部１２２０３は、ステップＳ５０１で受信したチケット情報を情報格納部１２２０１に蓄積する。ステップＳ５０１に戻る。
（ステップＳ５０３）情報受信部１２２０４は、情報を受信したか否かを判断する。情報を受信すればステップＳ５０４に行き、情報を受信しなければステップＳ５０１に戻る。
（ステップＳ５０４）判断部１２２０５は、情報格納部１２２０１に格納されているチケット情報を読み込む。
【００２３】
（ステップＳ５０５）判断部１２２０５は、ステップＳ５０４においてチケット情報が読み出せたか否かを判断する。チケット情報が読み出せていればステップＳ５０６に行き、チケット情報が読み出せていなければステップＳ５０１に戻る。チケット情報が読み出せていないとは、例えば、ユーザがチケットを購入していない、ということである。
【００２４】
（ステップＳ５０６）判断部１２２０５は、ステップＳ５０４で読み込んだチケット情報と、ステップＳ５０３で受信した情報に基づいて、当該情報が出力対象の情報であるか否かを判断する。出力対象の情報であればステップＳ５０７に行き、出力対象の情報でなければステップＳ５０１に戻る。
【００２５】
（ステップＳ５０７）情報送付部１２２０６は、ステップＳ５０３で受信した情報を携帯端末１２１に送付する。なお、情報送付部１２２０６が送付する情報は、ステップＳ５０３で受信した情報と完全に一致している必要はない。例えば、ステップＳ５０３で受信した情報が、ヘッダー情報としてチケットの種別を示す情報を保持している場合に、当該ヘッダー情報を取り除いた情報を送付しても良い。
なお、図５のフローチャートにおいて、電源オフや処理終了の割り込みにより処理は終了する。
以下、本実施の形態における通信ステムの具体的な動作について説明する。通信システムの概念図は図１である。
【００２６】
本例において、チケット情報送信装置１１は、電子情報であるチケット情報を格納しているチケット情報の自動販売機である。本自動販売機は、ユーザから、硬貨を受け付け、チケット情報を送信する機能を有する。チケット情報送信装置１１は、図６に示す３種類のチケット情報（チケット情報１、チケット情報２、チケット情報３）を格納している。チケット情報は、チケットの種別を示すチケット識別情報とチケットの価格を示す価格情報を有する。チケット情報１は、種別「１」で、価格が「１００円」のチケットであることを示す。
【００２７】
また、ユーザは、自分の所有する携帯端末１２１を持って、例えば、美術館に来ている。そして、ユーザは、チケット情報の購入前に、美術館の運営業者から近距離無線通信装置１２２を貸与される。そして、ユーザは、近距離無線通信装置１２２を携帯端末１２１のコネクタに接続する。
【００２８】
次に、ユーザは、美術館に入場する前に、ユーザは入口前でチケット情報送信装置１１からチケット情報を購入する。つまり、ユーザは、例えば、２００円をチケット情報送信装置１１に投入する。次に、チケット情報送信装置１１は、チケット情報２を近距離無線通信手段により送信する。次に、貸与された近距離無線通信装置１２２が、チケット情報２を受信し、蓄積する。なお、チケット情報は、偽造や改ざんが困難であるように、二次元バーコードなどの形式や、暗号化されていることが好ましい。
【００２９】
次に、図示しない認証装置によりチケット情報が認証され、ユーザは美術館の中に入る。そして、ユーザは、美術館内の絵画を鑑賞するために、順路に従って移動する。その際、各絵画の周辺に設置された近距離情報送信装置１３から、順次、種々の情報が送信される。図７は、近距離情報送信装置１３が格納しており、送信する情報の例を示す。情報は、ヘッダーと、出力される情報の中身である実体からなる。ヘッダーは、実体の属性値を規定する情報であり、情報レベルとデータサイズを有する。情報レベルとは、情報の種類を示す情報であり、ここでは、数値が大きいほど、価値が高い情報である。データサイズは、実体のデータサイズである。近距離情報送信装置１３は、図７の情報１、情報２と順次、格納している情報を送信する。
【００３０】
次に、通信装置１２の近距離無線通信装置１２２は、情報１、情報２と、順次、情報を受信する。まず、近距離無線通信装置１２２の判断部１２２０５は、情報１を受信した後に、格納しているチケット情報２を読み出す。そして、近距離無線通信装置１２２の判断部１２２０５は、チケット情報２のチケット識別情報「２」を取得する。次に、近距離無線通信装置１２２の判断部１２２０５は、情報１の情報レベル「２」を取得する。そして、近距離無線通信装置１２２の判断部１２２０５は、チケット識別情報「２」と情報レベル「２」を比較し、「チケット識別情報>＝情報レベル」を満たしているか否かを判断する。「チケット識別情報>＝情報レベル」を満たしているので、近距離無線通信装置１２２の判断部１２２０５は、情報１は、出力対象の情報である、と判断する。そして、近距離無線通信装置１２２の情報送付部１２２０６は、情報１からヘッダーを取り除く、実体のみを携帯端末１２１に送付する。
次に、携帯端末１２１は、情報１の実体を受け付け、出力する。図８は、情報の表示例である。
【００３１】
次に、通信装置１２の近距離無線通信装置１２２は、受信した情報２が出力対象の情報であるか否かを判断する。上記と同様に判断し、近距離無線通信装置１２２の判断部１２２０５は、「チケット識別情報「２」>＝情報レベル「３」」を満たしていないので、情報２が出力対象の情報でない、と判断する。そして、近距離無線通信装置１２２は、情報２の実体を携帯端末１２１に送付しない。したがって、携帯端末１２１のディスプレイには情報２の実体（鑑賞している絵画の電子データ）が表示されない。
【００３２】
つまり、本例では、２００円のチケットを購入したユーザは、絵画の説明情報のみ取得でき、３００円のチケットを購入したユーザは、絵画の説明情報と絵画そのものの電子データ（画像データ）が取得できる。また、１００円のチケットを購入したユーザは、情報が取得できず、展示されている絵画を鑑賞するだけである。なお、携帯端末１２１が出力した情報は、蓄積することができても良い。
【００３３】
以上、本実施の形態によれば、購入したチケット情報に基づいて、情報を選択して出力する通信装置であり、かかる通信装置により、美術館などの観光スポットの運営側にとって価値の高いチケットを販売することの促進になり、また、ユーザも貴重な情報を得るために高価な入場料を正当に支払うことに積極的になる。
【００３４】
また、本実施の形態によれば、通信装置は、携帯端末と近距離無線通信装置から構成された。つまり、近距離無線通信装置が携帯端末から着脱可能である。かかる構成により、現在、普及している携帯電話（携帯端末の一種）に近距離無線通信装置を接続するだけで、上述したサービスを提供できる。つまり、普及している携帯電話を携帯端末として利用する場合に、改良を加える必要がない。
【００３５】
なお、本実施の形態によれば、「チケット識別情報>＝情報レベル」を満たしているか否かにより、出力対象の情報であるか否かを判断したが、他の条件（たとえば、「チケット識別情報＝情報レベル」）により出力対象の情報であるか否かを判断しても良い。つまり、チケット情報に基づいて情報を出力するか否かを判断すればよい。
【００３６】
また、本実施の形態によれば、通信装置は、携帯端末と近距離無線通信装置を接続したものであったが、一体型のものでも良い。かかる場合、通信装置は、近距離無線通信手段を具備する通信装置であって、チケットに関する情報であるチケット情報を格納している情報格納部と、情報を受信する情報受信部と、前記情報受信部が受信した情報を、前記チケット情報に基づいて出力するか否かを判断する判断部と、前記判断部が出力すると判断した情報を出力する情報出力部を具備する通信装置である。なお情報受信部は、近距離無線通信手段により情報を受信することが好ましい。
また、本実施の形態によれば、通信装置は、受信した情報を出力するか否かを判断して、出力すると判断したものに関してのみ出力したが、受信した情報のうち、その一部のみを出力し、他は出力しない、という処理を行っても良い。
【００３７】
また、本実施の形態によれば、近距離無線通信装置１２２はチケット情報を受信したが、他の手段によりチケット情報を保持していれば良い。つまり、近距離無線通信装置１２２に、あらかじめチケット情報が格納されていても良い。例えば、美術館の入り口で、ユーザが投入した金額に応じて、貸与する近距離無線通信装置１２２の種類が異なり、異なる種類の近距離無線通信装置１２２ごとに格納されているチケット情報の種別が異なるなどの態様でも良い。また、近距離無線通信装置１２２は、外付けの記録媒体からチケット情報を読み込む態様でも良い。
【００３８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における近距離無線通信装置を実現するソフトウェアは、以下のようなプログラムである。つまり、このプログラムは、コンピュータに、近距離無線通信手段により情報を受信する情報受信ステップと、前記情報受信ステップで受信した情報を、格納しているチケット情報に基づいて出力するか否かを判断する判断ステップと、前記判断ステップで出力すると判断した情報を携帯端末に渡す情報送付ステップを実行させるためのプログラムである。また、携帯端末を実現するソフトウェアは、以下のようなプログラムである。つまり、このプログラムは、コンピュータに、近距離無線通信装置から情報を受け付ける情報受付ステップと、前記情報を出力する情報出力ステップを実行させるためのプログラムである。
【００３９】
また、一体型の通信装置を実現するソフトウェアは、以下のようなプログラムである。つまり、このプログラムは、コンピュータに、情報を受信する情報受信ステップと、前記情報受信ステップで受信した情報を、格納しているチケット情報に基づいて出力するか否かを判断する判断ステップと、前記判断ステップで出力すると判断した情報を出力する情報出力ステップを実行させるためのプログラムである。なお、情報受信ステップは、近距離無線通信手段により情報を受信することが好ましい。
（実施の形態２）
【００４０】
実施の形態１では、チケット情報のみに基づいて情報を選択したが、本実施の形態において、チケット情報と、ユーザ情報と位置情報と時間情報のうちの１以上の情報に基づいて情報を選択する。
【００４１】
図９は、本実施の形態における通信システムのブロック図である。通信システムは、チケット情報送信装置１１、通信装置９２、近距離情報送信装置１３を具備し、通信装置９２は、携帯端末９２１、近距離無線通信装置９２２を具備する。
携帯端末９２１は、情報受付部１２１０１、情報出力部１２１０２、ユーザ情報格納部９２１０１、ユーザ情報送付部９２１０２を具備する。
【００４２】
近距離無線通信装置９２２は、情報格納部１２２０１、チケット情報受信部１２２０２、チケット情報蓄積部１２２０３、情報受信部１２２０４、判断部９２２０７、情報送付部１２２０６、時計９２２０１、時刻情報蓄積部９２２０２、位置情報取得部９２２０３、位置情報蓄積部９２２０４、ユーザ情報受付部９２２０５、ユーザ情報蓄積部９２２０６を具備する。
【００４３】
ユーザ情報格納部９２１０１は、ユーザに関する情報であるユーザ情報を格納している。ユーザ情報とは、例えば、ユーザの嗜好を示す情報やユーザの年齢、性別、住所などの情報である。ユーザ情報格納部９２１０１は、通常、不揮発性の記録媒体である。
ユーザ情報送付部９２１０２は、ユーザ情報格納部９２１０１のユーザ情報を近距離無線通信装置９２２に送付する。ユーザ情報送付部９２１０２は、例えば、バスを経由して情報を送付する。
時計９２２０１は、時を刻む。時計９２２０１は、タイマーでも良い。
【００４４】
時刻情報蓄積部９２２０２は、時計９２２０１が示す時刻情報を情報格納部１２２０１に蓄積する。時刻情報蓄積部９２２０２は、通常、ＭＰＵやメモリ等から実現され得る。時刻情報蓄積部９２２０２の処理手順は、通常、ソフトウェアで実現され、当該ソフトウェアはＲＯＭ等の記録媒体に記録されている。但し、ハードウェア（専用回路）で実現しても良い。なお、時刻情報は、時、分、秒を有する情報でも、時のみの情報でも、分のみの情報等でも良い。つまり、時刻情報は、時間に関する情報であれば良い。
【００４５】
位置情報取得部９２２０３は、位置情報を取得する。位置情報取得部９２２０３は、例えば、ＧＰＳ受信機や、無線タグリーダーである。無線タグリーダーは、位置情報を保持している無線タグから位置情報を取得する。無線タグは、ユーザの居る場所の周辺に設置されている。
【００４６】
位置情報蓄積部９２２０４は、位置情報取得部９２２０３が取得した位置情報を情報格納部１２２０１に蓄積する。位置情報蓄積部９２２０４は、通常、ＭＰＵやメモリ等から実現され得る。位置情報蓄積部９２２０４の処理手順は、通常、ソフトウェアで実現され、当該ソフトウェアはＲＯＭ等の記録媒体に記録されている。但し、ハードウェア（専用回路）で実現しても良い。
ユーザ情報受付部９２２０５は、ユーザ情報を携帯端末９２１から受け付ける。ユーザ情報受付部９２２０５は、例えば、バスを経由してユーザ情報を受け付ける。
【００４７】
ユーザ情報蓄積部９２２０６は、ユーザ情報受付部９２２０５が受け付けたユーザ情報を情報格納部１２２０１に蓄積する。ユーザ情報蓄積部９２２０６は、通常、ＭＰＵやメモリ等から実現され得る。ユーザ情報蓄積部９２２０６の処理手順は、通常、ソフトウェアで実現され、当該ソフトウェアはＲＯＭ等の記録媒体に記録されている。但し、ハードウェア（専用回路）で実現しても良い。
【００４８】
以下、本通信システムの動作について説明する。まず、携帯端末９２１の動作について説明する。携帯端末９２１の情報受付部１２１０１が情報を受け付けると、情報出力部１２１０２が当該情報を出力する。また、近距離無線通信装置９２２の要求に応じて、携帯端末９２１のユーザ情報送付部９２１０２は、ユーザ情報格納部９２１０１に格納されているユーザ情報を取得し、近距離無線通信装置９２２に送付する。
次に、近距離無線通信装置９２２の動作について図１０のフローチャートを用いて説明する。
【００４９】
（ステップＳ１００１）チケット情報受信部１２２０２は、チケット情報を受信したか否かを判断する。チケット情報を受信すればステップＳ１００２に行き、チケット情報を受信しなければステップＳ１００６に飛ぶ。
（ステップＳ１００２）チケット情報蓄積部１２２０３は、ステップＳ５０１で受信したチケット情報を情報格納部１２２０１に蓄積する。
（ステップＳ１００３）ユーザ情報受付部９２２０５は、ユーザ情報の送付の指示を携帯端末９２１に対して行う。
【００５０】
（ステップＳ１００４）ユーザ情報受付部９２２０５は、ユーザ情報を受け付けたか否かを判断する。ユーザ情報を受け付ければステップＳ１００５に行き、ユーザ情報を受け付けなければステップＳ１００４に戻る。
（ステップＳ１００５）ユーザ情報蓄積部９２２０６は、ステップＳ１００４で受け付けたユーザ情報を情報格納部１２２０１に蓄積する。ステップＳ１００１に戻る。
（ステップＳ１００６）情報受信部１２２０４は、情報を受信したか否かを判断する。情報を受信すればステップＳ１００７に行き、情報を受信しなければステップＳ１０１２に飛ぶ。
（ステップＳ１００７）判断部９２２０７は、情報格納部１２２０１に格納されているチケット情報を読み込む。
【００５１】
（ステップＳ１００８）判断部９２２０７は、ステップＳ１００７においてチケット情報が読み出せたか否かを判断する。チケット情報が読み出せていればステップＳ１００９に行き、チケット情報が読み出せていなければステップＳ１００１に戻る。チケット情報が読み出せていないとは、例えば、ユーザがチケットを購入していない、ということである。
（ステップＳ１００９）判断部９２２０７は、情報格納部１２２０１に格納されているユーザ情報、または／および位置情報、または／および時刻情報を取得する。
【００５２】
（ステップＳ１０１０）判断部９２２０７は、ステップＳ１００７で読み込んだチケット情報と、ステップＳ１００９で取得したユーザ情報、または／および位置情報、または／および時刻情報と、ステップＳ１００６で受信した情報に基づいて、当該情報が出力対象の情報であるか否かを判断する。出力対象の情報であればステップＳ１０１１に行き、出力対象の情報でなければステップＳ１００１に戻る。
【００５３】
（ステップＳ１０１１）情報送付部１２２０６は、ステップＳ１００６で受信した情報を携帯端末１２１に送付する。なお、情報送付部１２２０６が送付する情報は、ステップＳ１００６で受信した情報と完全に一致している必要はない。例えば、ステップＳ１００６で受信した情報が、ヘッダー情報としてチケットの種別を示す情報を保持している場合に、当該ヘッダー情報を取り除いた情報を送付しても良い。
（ステップＳ１０１２）位置情報取得部９２２０３は、位置情報を取得する。
（ステップＳ１０１３）位置情報蓄積部９２２０４は、ステップＳ１０１２で取得した位置情報を情報格納部１２２０１に蓄積する。
（ステップＳ１０１４）時刻情報蓄積部９２２０２は、時計９２２０１から時刻情報を取得する。
（ステップＳ１０１５）時刻情報蓄積部９２２０２は、ステップＳ１０１４で取得した時刻情報を情報格納部１２２０１に蓄積する。ステップＳ１００１に戻る。
【００５４】
以下、本実施の形態における通信ステムの具体的な動作について説明する。本通信システムの概念図を図１１に示す。図１１において、ユーザは、寺院に観光に来ている、とする。ユーザは、携帯端末９２１を所有しており、寺院の入場の際に、近距離無線通信装置９２２を貸与される。そして、ユーザは、近距離無線通信装置９２２を携帯端末９２１に接続する。
また、携帯端末９２１には、図１２に示すユーザ情報が格納されている。ユーザ情報は、性別、年齢、言語、趣味の情報を有する。「言語」は、ユーザが取得したい情報の記載言語である。
また、近距離無線通信装置９２２は、ＧＰＳ受信機と時計を具備する。ＧＰＳ受信機は、常時、位置情報（ｘ，ｙ，ｚ）を取得している、とする。
また、チケット情報送信装置１１は、図６に示すチケット情報を格納している。
【００５５】
さらに、ある近距離情報送信装置１３は、図１３に示す多数の情報を格納している。図１３に示す情報は、ヘッダーと実体を有する。ヘッダーは、レベル情報、性別条件、年齢条件、言語条件、趣味条件、位置条件、時刻条件を有する。レベル情報は、情報の価値を示す情報であり、チケット情報のチケット識別情報と付き合わされる情報である。性別条件は、情報の取得対象のユーザの性別を示す情報である。年齢条件は、情報の取得対象のユーザの年齢を示す情報である。言語条件は、情報の取得対象のユーザの理解可能な言語を示す情報である。趣味条件は、情報の取得対象のユーザの趣味を示す情報である。位置条件は、ユーザ（端末）が存在する位置に関する条件を示す情報である。時刻条件は、時刻に関する条件を示す情報である。なお、各条件の値が「−」である場合は、不問であることを示す。
【００５６】
かかる状況において、まず、ユーザは、近距離情報送信装置１３に硬貨「３００円」を投入して、チケット情報を購入する、とする。つまり、近距離無線通信装置９２２は、近距離情報送信装置１３からチケット情報３を受信し、蓄積する。
次に、近距離無線通信装置９２２は、携帯端末９２１から図１２に示すユーザ情報を取得し、情報格納部１２２０１に蓄積する。
【００５７】
次に、ユーザは、寺院の中に入り、移動する。その間、常時、近距離無線通信装置９２２は、位置情報と時刻情報を取得し、当該位置情報と時刻情報を情報格納部１２２０１に蓄積する。つまり、情報格納部１２２０１には、現在のユーザの位置を示す位置情報と現在時刻の情報が格納されている。
【００５８】
そして、ユーザは、携帯端末９２１および近距離無線通信装置９２２を具備する通信装置９２を保持しながら、ある近距離情報送信装置１３の近くに行ったとする。なお、その近距離情報送信装置１３は、図１３に示す情報を格納している。そして、近距離情報送信装置１３は、まず、図１３中の情報（１）を、近距離無線通信手段で送信する。
【００５９】
次に、近距離無線通信装置９２２は、情報（１）を受信する。そして、近距離無線通信装置９２２は、格納されているチケット情報３を読み出す。そして、近距離無線通信装置９２２は、格納されているユーザ情報、位置情報、時刻情報を取得する。そして、近距離無線通信装置９２２は、チケット情報３のチケット識別情報「３」と情報（１）のレベル情報「２」が「チケット識別情報>＝レベル情報」の条件を満たすか否かを判断する。条件を満たすので、次の条件の判断に移行する。次に、近距離無線通信装置９２２は、ユーザ情報の性別「女」と情報（１）の性別条件「男」を比較して、一致しないので、条件を満たさない、つまり、情報（１）は、出力対象の情報ではない、と判断する。
【００６０】
次に、近距離無線通信装置９２２は、情報（２）を受信する。同様に、近距離無線通信装置９２２は、情報（２）のヘッダーの各情報と、チケット情報３のレベル情報、ユーザ情報、位置情報、時刻情報等と比較して、情報（２）が出力対象の情報であるか否かを判断する。情報（２）は、言語条件が「英語」であり、ユーザ情報の言語が「日本語」であるので、条件を満たさず、近距離無線通信装置９２２は、情報（２）が出力対象の情報でないと判断する。
【００６１】
次に、近距離無線通信装置９２２は、情報（３）を受信する。同様に、近距離無線通信装置９２２は、情報（３）のヘッダーの各情報と、チケット情報３のレベル情報、ユーザ情報、位置情報、時刻情報等と比較して、情報（３）が出力対象の情報であるか否かを判断する。ここでは、情報（３）のヘッダーの各情報（レベル情報、年齢情報、言語情報、趣味情報）が、チケット情報３のレベル情報、ユーザ情報を満たすので、近距離無線通信装置９２２は、情報（３）が出力対象の情報であると判断する。そして、近距離無線通信装置９２２は、情報（３）のヘッダーを取り除いて、その実体を携帯端末９２１に送付する。そして、携帯端末９２１は、情報（３）の実体を受け付け、出力する。図１４は、携帯端末９２１における情報の出力例である。
【００６２】
次に、近距離無線通信装置９２２は、情報（４）を受信する。同様に、近距離無線通信装置９２２は、情報（４）のヘッダーの各情報と、チケット情報３のレベル情報、ユーザ情報、位置情報、時刻情報等と比較して、情報（４）が出力対象の情報であるか否かを判断する。なお、近距離無線通信装置９２２が保持している時刻情報は「１９：０５」であるとする。つまり、現在時刻が１９時５分であることを示す。また、情報（４）は、音情報である。例えば、情報（４）は、ＭＩＤＩ形式の情報である。近距離無線通信装置９２２が保持している時刻情報「１９：０５」は、情報（４）のヘッダーの時刻条件「１０：００〜１６：００」を満たさないので、近距離無線通信装置９２２は、情報（４）が出力対象の情報でないと判断する。つまり、ここでは、「１０：００〜１６：００」の時間帯をはずれた、朝や夜には、音情報を出力しない配慮がなされている。寺院等で、夜のライトアップがされている場合に、音出力をすることは興ざめになり、観光客に対する評判が下がる可能性もあるからである。
【００６３】
次に、近距離無線通信装置９２２は、情報（５）を受信する。同様に、近距離無線通信装置９２２は、情報（５）のヘッダーの各情報と、チケット情報３のレベル情報、ユーザ情報、位置情報、時刻情報等と比較して、情報（５）が出力対象の情報であるか否かを判断する。なお、近距離無線通信装置９２２は、位置情報（２１３，１３４，７．５）を格納している、とする。かかる場合、近距離無線通信装置９２２は、まず、チケット情報３のチケット識別情報「３」と情報（５）のレベル情報「３」が「チケット識別情報>＝レベル情報」の条件を満たすか否かを判断する。かかる条件を満たすので、次に、近距離無線通信装置９２２は、情報（５）の位置条件（（２１３，１３４，８）と近距離無線通信装置９２２が保持している位置情報（２１３，１３４，７．５）とを比較して、所定の条件を満たすか否かを判断する。所定の条件とは、ここでは、「両点の距離の差が１０以内」とする。したがって、位置情報の条件も満たす。よって、近距離無線通信装置９２２は、情報（５）は出力対象の情報である、と判断する。そして、近距離無線通信装置９２２は、情報（５）のヘッダーを取り除いて、その実体を携帯端末９２１に送付する。そして、携帯端末９２１は、情報（５）の実体を受け付け、出力する。
【００６４】
次に、近距離無線通信装置９２２は、情報（６）を受信する。同様に、近距離無線通信装置９２２は、情報（６）のヘッダーの各情報と、チケット情報３のレベル情報、ユーザ情報、位置情報、時刻情報等と比較して、情報（６）が出力対象の情報であるか否かを判断する。情報（６）のヘッダーの言語条件に、ユーザ情報が合致しないので、近距離無線通信装置９２２は、情報（５）は出力対象の情報でない、と判断する。
【００６５】
以上のように、近距離無線通信装置９２２は、次々と受信する情報に対して、出力対象であるか否かを判断し、出力対象の情報のみを携帯端末９２１に渡す。そして、携帯端末９２１は、出力対象の情報を出力する。なお、条件判断は、チケット情報、およびユーザ情報または／および位置情報または／および現在時刻に基づいて行われる。なお、通信装置９２は、情報を出力する際に、音（ビープ音など）によりユーザに情報出力を知らせても良い。
【００６６】
以上、本実施の形態によれば、購入したチケット情報に基づいて、情報を選択して出力する通信装置であり、かかる通信装置により、美術館などの観光スポットの運営側にとって価値の高いチケットを販売することの促進になり、また、ユーザも貴重な情報を得るために高価な入場料を正当に支払うことに積極的になる。さらに、本実施の形態によれば、ユーザ情報または／および位置情報または／および現在時刻に基づいて情報の選択が行われることにより、よりユーザに合致した情報、またはユーザの居る位置に合致した情報、または現在時刻に合致した情報が出力され、好適である。
【００６７】
また、本実施の形態によれば、通信装置は、携帯端末と近距離無線通信装置から構成された。つまり、近距離無線通信装置が携帯端末から着脱可能である。かかる構成により、現在、普及している携帯電話に近距離無線通信装置を接続するだけで、上述したサービスを提供できる。つまり、普及している携帯電話を携帯端末として利用する場合に、改良を加える必要がない。
【００６８】
なお、本実施の形態によれば、チケット情報と受信した情報のヘッダーの情報を比較して、所定の条件を満たしているか否かを判断し、出力対象の情報であるか否かを決定したが、上記した条件は、例示であることは言うまでもない。
【００６９】
また、本実施の形態によれば、通信装置は、携帯端末と近距離無線通信装置を接続したものであったが、一体型のものでも良い。かかる場合、通信装置は、近距離無線通信手段を具備する通信装置であって、チケット情報と、ユーザ情報または／および位置情報または／および時刻情報を格納している情報格納部と、情報を受信する情報受信部と、前記情報受信部が受信した情報を、前記チケット情報と、ユーザ情報または／および位置情報または／および時刻情報に基づいて出力するか否かを判断する判断部と、前記判断部が出力すると判断した情報を出力する情報出力部を具備する通信装置である。なお、情報受信部は、近距離無線通信手段により情報を受信することが好適である。
【００７０】
また、本実施の形態によれば、近距離無線通信装置９２２はチケット情報を受信したが、他の手段によりチケット情報を保持していれば良い。つまり、例えば、近距離無線通信装置１２２は、外付けの記録媒体からチケット情報を読み込む態様でも良い。
【００７１】
さらに、本実施の形態における近距離無線通信装置を実現するソフトウェアは、以下のようなプログラムである。つまり、このプログラムは、コンピュータに、近距離無線通信手段により情報を受信する情報受信ステップと、前記情報受信ステップで受信した情報を、格納しているチケット情報と、ユーザ情報または／および位置情報または／および時刻情報に基づいて出力するか否かを判断する判断ステップと、前記判断ステップで出力すると判断した情報を携帯端末に渡す情報送付ステップを実行させるためのプログラムである。また、携帯端末を実現するソフトウェアは、以下のようなプログラムである。つまり、このプログラムは、コンピュータに、近距離無線通信装置から情報を受け付ける情報受付ステップと、前記情報を出力する情報出力ステップを実行させるためのプログラムである。
【００７２】
また、一体型の通信装置を実現するソフトウェアは、以下のようなプログラムである。つまり、このプログラムは、コンピュータに、近距離無線通信手段により情報を受信する情報受信ステップと、前記情報受信ステップで受信した情報を、格納しているチケット情報と、ユーザ情報または／および位置情報または／および時刻情報に基づいて出力するか否かを判断する判断ステップと、前記判断ステップで出力すると判断した情報を出力する情報出力ステップを実行させるためのプログラムである。
（実施の形態３）
【００７３】
本実施の形態において、チケット情報は携帯端末に蓄積されている。また、近距離無線通信装置は、ユーザ情報または／および位置情報または／および時間情報を格納している。そして、近距離無線通信装置は、チケット情報と、ユーザ情報と位置情報と時間情報のうちの１以上の情報に基づいて情報を選択する。
【００７４】
図１５は、本実施の形態における通信システムのブロック図である。通信システムは、チケット情報送信装置１１、通信装置１５２、近距離情報送信装置１３を具備し、通信装置１５２は、携帯端末１５２１、近距離無線通信装置１５２２を具備する。
【００７５】
携帯端末１５２１は、情報受付部１２１０１、情報出力部１２１０２、ユーザ情報格納部９２１０１、チケット情報受信部１５２１０１、チケット情報蓄積部１５２１０２、情報保持部１５２１０３、情報送付部１５２１０４を具備する。
【００７６】
近距離無線通信装置１５２２は、情報格納部１２２０１、情報受信部１２２０４、判断部９２２０７、情報送付部１２２０６、時計９２２０１、時刻情報蓄積部９２２０２、位置情報取得部９２２０３、位置情報蓄積部９２２０４、ユーザ情報受付部９２２０５、ユーザ情報蓄積部９２２０６、情報取得部１５２２０１、情報書込部１５２２０２を具備する。
チケット情報受信部１５２１０１は、チケット情報送信装置１１からチケット情報を受信する。チケット情報受信部１５２１０１は、通常、無線通信手段で実現される。
【００７７】
チケット情報蓄積部１５２１０２は、チケット情報受信部１５２１０１が受信したチケット情報を情報保持部１５２１０３に蓄積する。チケット情報蓄積部１５２１０２は、通常、ＭＰＵやメモリ等から実現され得る。チケット情報蓄積部１５２１０２の処理手順は、通常、ソフトウェアで実現され、当該ソフトウェアはＲＯＭ等の記録媒体に記録されている。但し、ハードウェア（専用回路）で実現しても良い。
情報保持部１５２１０３は、チケット情報を保持している。情報保持部１５２１０３は、不揮発性の記録媒体が好適である。
【００７８】
情報送付部１５２１０４は、ユーザ情報格納部９２１０１のユーザ情報および情報保持部１５２１０３のチケット情報を近距離無線通信装置１５２２に送付する。情報を送付するタイミングは問わない。通常、近距離無線通信装置１５２２からの要求により情報を送付する。情報送付部１５２１０４は、例えば、バスを経由して情報を送付する。
【００７９】
情報取得部１５２２０１は、携帯端末１５２１からチケット情報を取得し、かつ、情報格納部１２２０１からチケット情報と、ユーザ情報または／および位置情報または／および時刻情報を取得する。情報取得部１５２２０１は、通常、ＭＰＵやメモリ等から実現され得る。情報取得部１５２２０１の処理手順は、通常、ソフトウェアで実現され、当該ソフトウェアはＲＯＭ等の記録媒体に記録されている。但し、ハードウェア（専用回路）で実現しても良い。
【００８０】
情報書込部１５２２０２は、情報取得部１５２２０１が携帯端末１５２１からチケット情報を取得した場合に、当該チケット情報を情報格納部１２２０１に記録する。情報書込部１５２２０２は、通常、ＭＰＵやメモリ等から実現され得る。情報書込部１５２２０２の処理手順は、通常、ソフトウェアで実現され、当該ソフトウェアはＲＯＭ等の記録媒体に記録されている。但し、ハードウェア（専用回路）で実現しても良い。
【００８１】
以下、本通信システムの動作について説明する。まず、携帯端末１５２１の動作について説明する。携帯端末１５２１の情報受付部１２１０１が情報を受け付けると、情報出力部１２１０２が当該情報を出力する。また、近距離無線通信装置１５２２の要求に応じて、携帯端末１５２１のユーザ情報送付部９２１０２は、ユーザ情報格納部９２１０１に格納されているユーザ情報を取得し、近距離無線通信装置１５２２に送付する。また、携帯端末１５２１のチケット情報受信部１５２１０１は、チケット情報送信装置１１からチケット情報を受信し、チケット情報蓄積部１５２１０２は、当該チケット情報を情報保持部１５２１０３に蓄積する。なお、情報保持部１５２１０３のチケット情報は、情報送付部１５２１０４が近距離無線通信装置１５２２に送付する。
次に、近距離無線通信装置１５２２の動作について図１６のフローチャートを用いて説明する。図１６のフローチャートにおいて、図１０のフローチャートと共通するステップについては説明を省略する。
（ステップＳ１６０１）ユーザ情報受付部９２２０５および情報取得部１５２２０は、それぞれユーザ情報とチケット情報の送付を、携帯端末１５２１に対して要求する。
【００８２】
（ステップＳ１６０２）ユーザ情報受付部９２２０５および情報取得部１５２２０は、それぞれユーザ情報とチケット情報を受け付けたか否かを判断する。両手段が、それぞれユーザ情報とチケット情報を受け付ければステップＳ１６０３に行き、情報を受け付けなければステップＳ１６０２に戻る。
【００８３】
（ステップＳ１６０３）ユーザ情報蓄積部９２２０６はステップＳ１６０２で受け付けたユーザ情報を情報格納部１２２０１に蓄積し、情報書込部１５２２０２はステップＳ１６０２で受け付けたチケット情報を情報格納部１２２０１に蓄積する。
なお、図１６のフローチャートにおいて、電源オフや処理終了の割り込みにより処理は終了する。
以下、本実施の形態における通信ステムの具体的な動作について説明する。
【００８４】
本実施の形態において、携帯端末１５２１が、例えば、携帯電話であり、Ｃ−ＨＴＭＬで記述された画面情報を解釈し、表示された画面から情報を入力し、所定のサーバ装置（図示しない）からチケット情報を受信する。かかる処理は、たとえば、いわゆるｉ−ｍｏｄｅ（登録商標）の機能によって実現され得る。
【００８５】
そして、携帯端末１５２１が近距離無線通信装置１５２２の要求により、チケット情報やユーザ情報を近距離無線通信装置１５２に送付する。その後の処理については、実施の形態２の処理と同様であるので、ここでの具体的な説明は省略する。
【００８６】
以上、本実施の形態によれば、実施の形態２における通信装置と同様に、美術館などの観光スポットの運営側にとって価値の高いチケットを販売することの促進になり、また、ユーザも貴重な情報を得るために高価な入場料を正当に支払うことに積極的になる。さらに、本実施の形態によれば、ユーザ情報または／および位置情報または／および現在時刻に基づいて情報の選択が行われることにより、よりユーザに合致した情報、またはユーザの居る位置に合致した情報、または現在時刻に合致した情報が出力され、好適である。
【００８７】
また、本実施の形態によれば、通信装置は、携帯端末と近距離無線通信装置から構成された。つまり、近距離無線通信装置が携帯端末から着脱可能である。かかる構成により、現在、普及している携帯電話に近距離無線通信装置を接続するだけで、上述したサービスを提供できる。つまり、普及している携帯電話を携帯端末として利用する場合に、改良を加える必要がない。
【００８８】
なお、本実施の形態において、チケット情報やユーザ情報は携帯端末１５２１が保持していた。しかし、チケット情報、ユーザ情報、位置情報、時刻情報は、どの装置が保持していても良い。チケット情報、ユーザ情報、位置情報、時刻情報は、最終的に情報出力可否の判断を行う近距離無線通信装置１５２２が保持している状況を作れれば良い。チケット情報、ユーザ情報、位置情報、時刻情報は、携帯端末１５２１、近距離無線通信装置１５２２、または図示しない他の装置が保持し得る。かかることは、他の実施の形態でも同様である。
【００８９】
さらに、本実施の形態における近距離無線通信装置を実現するソフトウェアは、以下のようなプログラムである。つまり、このプログラムは、コンピュータに、携帯端末からチケット情報を取得する情報取得ステップと、情報を受信する情報受信ステップと、前記情報受信ステップで受信した情報を、前記チケット情報と、ユーザ情報、または／および位置情報、または／および時刻情報に基づいて出力するか否かを判断する判断ステップと、前記判断ステップで出力すると判断した情報を前記携帯端末に渡す情報送付ステップを実行させるためのプログラムである。また、携帯端末を実現するソフトウェアは、以下のようなプログラムである。つまり、このプログラムは、コンピュータに、チケット情報を受信するチケット情報受信ステップと、前記チケット情報を蓄積するチケット情報蓄積ステップと、近距離無線通信装置から情報を受け付ける情報受付ステップと、前記情報を出力する情報出力ステップを実行させるためのプログラムである。なお、情報受信ステップは、近距離無線通信手段により情報を受信することが好適である。
（実施の形態４）
【００９０】
本実施の形態において、携帯端末（携帯電話、PDAなど）と当該携帯端末に接続する近距離無線通信装置を具備する通信装置であって、近距離無線通信装置は、保持しているチケット情報やユーザ情報等を取得し、当該チケット情報やユーザ情報等を近距離情報送信装置に送信する。近距離情報送信装置は、チケット情報やユーザ情報等を受信し、当該チケット情報やユーザ情報等に基づいて情報を検索し、近距離無線通信装置に送信する。そして、近距離無線通信装は、当該情報を受信し、携帯端末に送付し、携帯端末が情報を出力する。
図１７は、本実施の形態における通信システムのブロック図である。通信システムは、チケット情報送信装置１１、通信装置１７２、近距離情報送信装置１７３、サーバ装置１７４を具備する。
通信装置１７２は、携帯端末９２１、近距離無線通信装置１７２２を具備する。
【００９１】
近距離無線通信装置１７２２は、情報格納部１２２０１、チケット情報受信部１２２０２、チケット情報蓄積部１２２０３、時計９２２０１、時刻情報蓄積部９２２０２、位置情報取得部９２２０３、位置情報蓄積部９２２０４、ユーザ情報受付部９２２０５、ユーザ情報蓄積部９２２０６、情報送信部１７２２０１、情報受信部１７２２０２、情報送付部１７２２０３を具備する。
近距離情報送信装置１７３は、チケット等情報受信部１７３０１、チケット等情報送付部１７３０２、検索結果情報受信部１７３０３、検索結果情報送信部１７３０４を具備する。
サーバ装置１７４は、提供情報格納部１７４０１、チケット等情報受付部１７４０２、提供情報検索部１７４０３、検索結果情報送付部１７４０４を具備する。
【００９２】
情報送信部１７２２０１は、情報格納部１２２０１が格納しているチケット情報と、ユーザ情報または／および位置情報または／および時刻情報を近距離無線通信手段により、近距離情報送信装置１７３に送信する。情報送信部１７２２０１は、ブルートゥース等の近距離無線通信手段で実現され得る。
【００９３】
情報受信部１７２２０２は、情報送信部１７２２０１が送信したチケット情報等に基づいて選択された情報を、近距離情報送信装置１７３から受信する。情報受信部１７２２０２は、ブルートゥース等の近距離無線通信手段で実現され得る。
情報送付部１７２２０３は、情報受信部１７２２０２が受信した情報を携帯端末９２１に送付する。
【００９４】
チケット等情報受信部１７３０１は、近距離無線通信装置１７２２からチケット情報と、ユーザ情報または／および位置情報または／および時刻情報を受信する。チケット等情報受信部１７３０１は、ブルートゥース等の近距離無線通信手段で実現され得る。
【００９５】
チケット等情報送付部１７３０２は、チケット等情報受信部１７３０１が受信したチケット情報と、ユーザ情報または／および位置情報または／および時刻情報を、サーバ装置１７４に送信する。なお、チケット等情報送付部１７３０２は、予め、サーバ装置１７４と通信をするための情報（例えば、サーバ装置１７４のＩＰアドレス等）を保持している、とする。チケット等情報送付部１７３０２は、無線または有線の通信手段等で実現され得る。
【００９６】
検索結果情報受信部１７３０３は、チケット等情報送付部１７３０２が送付したチケット情報と、ユーザ情報または／および位置情報または／および時刻情報に基づいて検索された情報である検索結果情報を、サーバ装置１７４から受信する。検索結果情報受信部１７３０３は、無線または有線の通信手段等で実現され得る。
【００９７】
検索結果情報送信部１７３０４は、検索結果情報受信部１７３０３が受信した情報を、近距離無線通信装置１７２２に近距離無線通信手段により送信する。検索結果情報送信部１７３０４は、ブルートゥース等の近距離無線通信手段で実現され得る。
提供情報格納部１７４０１は、最終的に携帯端末９２１で出力され得る情報を格納している。提供情報格納部１７４０１は、不揮発性の記録媒体が好適である。
【００９８】
チケット等情報受付部１７４０２は、近距離情報送信装置１７３からチケット情報と、ユーザ情報または／および位置情報または／および時刻情報を受信する。チケット等情報受付部１７４０２は、無線または有線の通信手段等で実現され得る。
【００９９】
提供情報検索部１７４０３は、チケット等情報受付部１７４０２が受信したチケット情報と、ユーザ情報または／および位置情報または／および時刻情報に基づいて、提供情報格納部１７４０１に格納されている情報を検索する。提供情報検索部１７４０３における検索アルゴリズムの例は、上述した判断部における情報選択のアルゴリズムと同様である。提供情報検索部１７４０３は、通常、ＭＰＵやメモリ等から実現され得る。提供情報検索部１７４０３が情報を検索するための処理手順は、通常、ソフトウェアで実現され、当該ソフトウェアはＲＯＭ等の記録媒体に記録されている。但し、ハードウェア（専用回路）で実現しても良い。
検索結果情報送付部１７４０４は、提供情報検索部１７４０３が検索した情報を、近距離情報送信装置１７３に送信する。検索結果情報送付部１７４０４は、無線または有線の通信手段等で実現され得る。
【０１００】
以下、本通信システムの動作について説明する。まず、近距離無線通信装置１７２２の動作について図１８のフローチャートを用いて説明する。なお、図１８のフローチャートにおいて、図１０のフローチャートと同様のステップについての説明は省略する。
【０１０１】
（ステップＳ１８０１）情報受信部１７２２０２は、近距離情報送信装置１７３から情報を受信したか否かを判断する。情報を受信すればステップＳ１８０２に行き、情報を受信しなければステップＳ１０１２に行く。
（ステップＳ１８０２）情報送付部１７２２０３は、ステップＳ１８０１で受信した情報を携帯端末９２１に送付する。
（ステップＳ１８０３）情報送信部１７２２０１は、情報格納部１２２０１に格納されているチケット情報と、ユーザ情報または／および位置情報または／および時刻情報を情報格納部１２２０１から取得する。
（ステップＳ１８０４）情報送信部１７２２０１は、ステップＳ１８０３で取得したチケット情報と、ユーザ情報または／および位置情報または／および時刻情報を近距離情報送信装置１７３に送信する。
なお、図１８のフローチャートにおいて、電源オフや処理終了の割り込みにより処理は終了する。
次に、近距離情報送信装置１７３の動作について図１９のフローチャートを用いて説明する。
【０１０２】
（ステップＳ１９０１）チケット等情報受信部１７３０１は、近距離無線通信装置１７２２からチケット情報と、ユーザ情報または／および位置情報または／および時刻情報を受信したか否かを判断する。かかる情報を受信すればステップＳ１９０２に行き、かかる情報を受信しなければステップＳ１９０３に行く。
（ステップＳ１９０２）チケット等情報送付部１７３０２は、ステップＳ１９０１で受信した情報をサーバ装置１７４に送信する。ステップＳ１９０１に戻る。
【０１０３】
（ステップＳ１９０３）検索結果情報受信部１７３０３は、ステップＳ１９０２における情報送信に対応して、サーバ装置１７４から情報を受信したか否かを判断する。情報を受信すればステップＳ１９０４に行き、情報を受信しなければステップＳ１９０１に戻る。
（ステップＳ１９０４）検索結果情報送信部１７３０４は、ステップＳ１９０３で受信した情報を近距離無線通信装置１７２２に送信する。ステップＳ１９０１に戻る。
なお、図１９のフローチャートにおいて、電源オフや処理終了の割り込みにより処理は終了する。
次に、サーバ装置１７４の動作について図２０のフローチャートを用いて説明する。
【０１０４】
（ステップＳ２００１）チケット等情報受付部１７４０２は、チケット情報等を近距離情報送信装置１７３から受信したか否かを判断する。チケット情報等を受信すればステップＳ２００２に行き、チケット情報等を受信しなければステップＳ２００１に戻る。
（ステップＳ２００２）提供情報検索部１７４０３は、ステップＳ２００１で受信したチケット情報等に基づいて、提供情報格納部１７４０１から情報を検索する。
（ステップＳ２００３）検索結果情報送付部１７４０４は、ステップＳ２００２で検索した情報を近距離情報送信装置１７３に送信する。ステップＳ２００１に戻る。
なお、図２０のフローチャートにおいて、電源オフや処理終了の割り込みにより処理は終了する。
【０１０５】
以下、本実施の形態における通信ステムの具体的な動作について説明する。本通信システムは、図１１の概念図に示す通信システムと概ね同様であるが、図１１の概念図に対して、１以上の近距離情報送信装置と通信可能なサーバ装置が存在する点が、図１１の概念図の通信システムと異なる。
【０１０６】
本通信システムのサーバ装置１７４は、図１３に示す多数の情報を格納している。そして、近距離無線通信装置１７２２から近距離情報送信装置１７３に、例えば、図１２に示すユーザ情報と、図６に示すチケット情報３と、位置情報（２１３，１３４，７．５）と、時刻情報「１９：０５」が送信される（実施の形態２における具体的なデータと同じデータである）。
そして、近距離情報送信装置１７３は、かかる４種類の情報を受信し、サーバ装置１７４に送信する。
【０１０７】
次に、サーバ装置１７４は、実施の形態２における判断部と同様のアルゴリズムで、４種類の情報に基づいて、図１３の情報から、情報（３）と情報（５）を検索する。そして、サーバ装置１７４は、情報（３）と情報（５）を近距離情報送信装置１７３に送信する。
【０１０８】
次に、近距離情報送信装置１７３は、情報（３）と情報（５）を受信し、近距離無線通信装置１７２２に転送する。次に、近距離無線通信装置１７２２は、情報（３）と情報（５）を受信し、携帯端末９２１に送付する。携帯端末９２１は、かかる情報（３）と情報（５）を出力する。携帯端末９２１における情報（３）と情報（５）の出力態様は問わない。順番に出力しても良いし、ウィンドウを２つ生成して、それぞれに情報（３）と情報（５）を出力しても良い。かかる出力例は、図１４である。
【０１０９】
以上、本実施の形態によれば、実施の形態２における通信装置と同様に、美術館などの観光スポットの運営側にとって価値の高いチケットを販売することの促進になり、また、ユーザも貴重な情報を得るために高価な入場料を正当に支払うことに積極的になる。さらに、本実施の形態によれば、ユーザ情報または／および位置情報または／および現在時刻に基づいて情報の選択が行われることにより、よりユーザに合致した情報、または位置情報に合致した情報、または現在時刻に合致した情報が出力され、好適である。
また、本実施の形態によれば、情報の選択はサーバ装置が行うので、近距離無線通信装置の負荷が小さい。
【０１１０】
また、本実施の形態によれば、通信装置は、携帯端末と近距離無線通信装置から構成された。つまり、近距離無線通信装置が携帯端末から着脱可能である。かかる構成により、現在、普及している携帯電話に近距離無線通信装置を接続するだけで、上述したサービスを提供できる。つまり、普及している携帯電話を携帯端末として利用する場合に、改良を加える必要がない。
また、本実施の形態によれば、通信装置は、携帯端末と近距離無線通信装置を接続したものであったが、一体型のものでも良い。
【０１１１】
また、本実施の形態において、チケット情報は、携帯端末が受信して、蓄積しても良い。かかる場合、チケット情報は、携帯端末から近距離無線通信装置に送付される。かかる態様は、実施の形態３で述べた態様である。具体的には、通信装置は、携帯端末と当該携帯端末に接続する近距離無線通信装置を具備する通信装置であって、前記携帯端末は、チケットに関する情報であるチケット情報を格納している情報格納部と、前記近距離無線通信装置から情報を受け付ける情報受付部と、前記情報を出力する情報出力部を具備し、前記近距離無線通信装置は、前記携帯端末からチケット情報を取得する情報取得部と、前記情報取得部が取得したチケット情報を近距離無線通信手段により送信する情報送信部と、前記情報送信部が送信したチケット情報に基づいて選択された情報を受信する情報受信部と、前記情報受信部が受信した情報を前記携帯端末に渡す情報送付部を具備する通信装置である。また、前記情報格納部は、チケット情報と、ユーザ情報または／および位置情報または／および時刻情報を格納しており、前記情報取得部は、前記携帯端末からチケット情報と、ユーザ情報または／および位置情報または／および時刻情報を取得し、前記情報送信部は、前記情報取得部が取得したチケット情報と、ユーザ情報または／および位置情報または／および時刻情報を近距離無線通信手段により送信し、前記情報受信は、前記情報送信部が送信したチケット情報と、ユーザ情報または／および位置情報または／および時刻情報に基づいて選択された情報を受信する構成でも良い。さらに、前記携帯端末は、チケット情報を受信するチケット情報受信部と、前記チケット情報を前記情報格納部に蓄積するチケット情報蓄積部をさらに具備していても良い。
【０１１２】
さらに、本実施の形態における近距離無線通信装置を実現するソフトウェアは、以下のようなプログラムである。つまり、このプログラムは、コンピュータに、格納しているチケット情報と、ユーザ情報または／および位置情報または／および時刻情報を送信する情報送信ステップと、前記情報送信ステップで送信したチケット情報と、ユーザ情報または／および位置情報または／および時刻情報に基づいて選択された情報を受信する情報受信ステップと、情報受信ステップで受信した情報を携帯端末に渡す情報送付ステップを実行させるためのプログラムである。また、携帯端末を実現するソフトウェアは、以下のようなプログラムである。つまり、このプログラムは、コンピュータに、近距離無線通信装置から情報を受け付ける情報受付ステップと、前記情報を出力する情報出力ステップを実行させるためのプログラムである。なお、情報送信ステップは、近距離無線通信手段により情報を送信することが好適である。
また、上記のすべての実施の形態において、携帯端末と近距離無線通信装置は分離されており、近距離無線通信手段により、情報の送受信を行っても良い。
また、上記各実施の形態において、各処理（各機能）は、単一の装置（システム）によって集中処理されることによって実現されてもよく、あるいは、複数の装置によって分散処理されることによって実現されてもよい。
なお、上記各実施の形態における上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、このプログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
【産業上の利用可能性】
【０１１３】
以上のように、本発明にかかる通信装置等は、チケット販売に有効な通信装置等として有用である。
【図面の簡単な説明】
【０１１４】
【図１】実施の形態１における通信システムの概念図
【図２】同通信システムのブロック図
【図３】同チケット情報送信装置の動作について説明するフローチャート
【図４】同近距離情報送信装置の動作について説明するフローチャート
【図５】同近距離無線通信装置の動作について説明するフローチャート
【図６】同チケット情報の例を示す図
【図７】近距離情報送信装置が格納している情報の例を示す図
【図８】同情報の表示例を示す図
【図９】実施の形態２における通信システムのブロック図
【図１０】同近距離無線通信装置の動作について説明するフローチャート
【図１１】同通信システムの概念図
【図１２】同携帯端末のユーザ情報の例を示す図
【図１３】同近距離情報送信装置が格納している情報例を示す図
【図１４】同携帯端末における情報の出力例を示す図
【図１５】実施の形態３における通信システムのブロック図
【図１６】同近距離無線通信装置の動作について説明するフローチャート
【図１７】実施の形態４における通信システムのブロック図
【図１８】同近距離無線通信装置の動作について説明するフローチャート
【図１９】同近距離情報送信装置の動作について説明するフローチャート
【図２０】同サーバ装置の動作について説明するフローチャート
【符号の説明】
【０１１５】
１１  チケット情報送信装置
１２、９２、１５２、１７２  通信装置
１３、１７３  近距離情報送信装置
１２１、９２１、１５２１  携帯端末
１２２、１５２、９２２、１５２２、１７２２  近距離無線通信装置
１７４  サーバ装置
１１０１  チケット情報格納部
１１０２  購入情報受付部
１１０３  チケット情報選択部
１１０４  チケット情報送信部
１３０１  提供情報格納部
１３０２  提供情報取得部
１３０３  提供情報送信部
１２１０１  情報受付部
１２１０２  情報出力部
１２２０１  情報格納部
１２２０２、１５２１０１  チケット情報受信部
１２２０３、１５２１０２  チケット情報蓄積部
１２２０４、１７２２０２  情報受信部
１２２０５、９２２０７  判断部
１２２０６、１５２１０４、１７２２０３  情報送付部
１５２２０、１５２２０１  情報取得部
１７３０１  チケット等情報受信部
１７３０２  チケット等情報送付部
１７３０３  検索結果情報受信部
１７３０４  検索結果情報送信部
１７４０１  提供情報格納部
１７４０２  チケット等情報受付部
１７４０３  提供情報検索部
１７４０４  検索結果情報送付部
９２１０１  ユーザ情報格納部
９２１０２  ユーザ情報送付部
９２２０１  時計
９２２０２  時刻情報蓄積部
９２２０３  位置情報取得部
９２２０４  位置情報蓄積部
９２２０５  ユーザ情報受付部
９２２０６  ユーザ情報蓄積部
１５２１０３  情報保持部
１５２２０２  情報書込部
１７２２０１  情報送信部
【図１】
2005242514.tif 000003
【図２】
2005242514.tif 000004
【図３】
2005242514.tif 000005
【図４】
2005242514.tif 000006
【図５】
2005242514.tif 000007
【図６】
2005242514.tif 000008
【図７】
2005242514.tif 000009
【図８】
2005242514.tif 000010
【図９】
2005242514.tif 000011
【図１０】
2005242514.tif 000012
【図１１】
2005242514.tif 000013
【図１２】
2005242514.tif 000014
【図１３】
2005242514.tif 000015
【図１４】
2005242514.tif 000016
【図１５】
2005242514.tif 000017
【図１６】
2005242514.tif 000018
【図１７】
2005242514.tif 000019
【図１８】
2005242514.tif 000020
【図１９】
2005242514.tif 000021
【図２０】
2005242514.tif 000022